(57)【要約】【課題】無線通信装置において、受信専用のアンテナによる無線信号の受信精度の低下を抑制する。【解決手段】無線通信装置は、無線送信部と第１無線受信部とを有する１つ以上の無線通信部であって、無線送信部による無線信号の送信が行われている場合に、該送信が行われていることを示す送信実行信号を出力する無線通信部と、無線通信のために電波の送受信を行う１つ以上の第１アンテナと、無線信号の受信を行う第２無線受信部と、第２無線受信部による無線信号の受信のために、電波の受信を行う第２アンテナと、送信実行信号又は無効化実行信号を入力した場合に、第２アンテナで受信された電波に基づく無線信号の受信を、無効化する受信無効化部と、を備える。【選択図】図１
2018191237.tif 000002
【特許請求の範囲】
【請求項１】
無線通信装置であって、
無線送信部と第１無線受信部とを有する１つ以上の無線通信部であって、前記無線送信部による無線信号の送信が行われている場合に、該送信が行われていることを示す送信実行信号を出力する無線通信部と、
前記無線通信部による無線通信のために電波の送受信を行う１つ以上の第１アンテナと、
無線信号の送信と無線信号の受信とのうち、無線信号の受信を行う第２無線受信部と、
前記第２無線受信部による無線信号の受信のために、電波の送信と電波の受信とのうち、電波の受信を行う第２アンテナと、
前記送信実行信号又は前記送信実行信号に基づき生成される無効化実行信号を入力した場合に、前記第２アンテナで受信された電波に基づく無線信号の受信を、無効化する受信無効化部と、
を備える、
無線通信装置。
【請求項２】
請求項１に記載の無線通信装置において、
複数の前記無線通信部と、
複数の前記無線通信部がそれぞれ出力する前記送信実行信号を入力し、前記無効化実行信号を出力するＯＲ回路と、
を更に備え、
前記受信無効化部は、前記ＯＲ回路から出力される前記無効化実行信号を入力する、
無線通信装置。
【請求項３】
請求項１または請求項２に記載の無線通信装置において、
前記無線通信部は、半二重通信により、無線通信を実行する、
無線通信装置。
【請求項４】
請求項３に記載の無線通信装置において、
前記無線送信部は、信号出力部と、前記信号出力部からの出力信号を増幅する増幅器と、前記増幅器による増幅動作を指示する送信制御部と、を有し、
前記送信実行信号は、前記送信制御部が前記増幅動作を前記増幅器に指示するための信号と一致する、
無線通信装置。
【請求項５】
請求項１から請求項４までのいずれか一項に記載の無線通信装置において、
前記受信無効化部は、
前記第２無線受信部を前記第２アンテナに電気的に接続するための第１導線と、
前記第２無線受信部を第１終端抵抗に電気的に接続するための第２導線と、
前記第２無線受信部を、前記第１導線と前記第２導線とのうちのいずれかに選択的に接続するための第１スイッチ回路と、
を有し、前記無効化実行信号を入力した場合に、前記第２無線受信部と前記第２導線とが電気的に接続するように前記第１スイッチ回路を動作させる、
無線通信装置。
【請求項６】
請求項５に記載の無線通信装置において、
前記受信無効化部は、
前記第２アンテナを第２終端抵抗に電気的に接続するための第３導線と、
前記第２アンテナを、前記第１導線と前記第３導線とのうちのいずれかに選択的に接続するための第２スイッチ回路と、
を有し、前記無効化実行信号を入力した場合に、前記第２アンテナと前記第３導線とが電気的に接続するように前記第２スイッチ回路を動作させる、
無線通信装置。
【請求項７】
請求項１から請求項６までのいずれか一項に記載の無線通信装置において、
前記第２無線受信部は、前記無線通信部による無線通信のための周囲の無線通信環境の確認のために前記第２アンテナを用いた無線信号の受信を行う、
無線通信装置。
【発明の詳細な説明】
【技術分野】
【０００１】
本発明は、無線通信装置に関する。
【背景技術】
【０００２】
無線通信装置として、無線信号を送受信するためのアンテナ（以下、「送受信用アンテナ」と呼ぶ）とは別に、無線信号の受信専用のアンテナ（以下、「受信専用アンテナ」と呼ぶ）を備える無線通信装置が提案されている。例えば、特許文献１では、ＣＤＭＡ（Code Division Multiple Access）２０００により無線通信を行う第１のモードと、ＧＳＭ（Global System for Mobile communications：登録商標）により無線通信を行う第２のモードとを有し、第１のモードでは送受信用アンテナと受信専用アンテナの両方を用い、第２のモードでは送受信用アンテナを用いる携帯電話端末が提案されている。このように受信専用アンテナを備える無線通信装置としては、上述の携帯電話端末以外にも、例えば、周囲において使用中のチャンネルを検出したり、ＤＦＳ（Dynamic Frequency Selection）機能を実現するために気象レーダーの干渉波を検出したり、といった周囲の無線通信環境を検索するための受信専用アンテナを備えた無線ＬＡＮアクセスポイント装置などが挙げられる。
【先行技術文献】
【特許文献】
【０００３】
【特許文献１】特開２００９−２７２９０７号公報
【発明の概要】
【発明が解決しようとする課題】
【０００４】
しかし、送受信用アンテナを用いた無線信号の送信と、受信専用アンテナを用いた無線信号の受信とが同時に行われると、無線通信装置は、自らが出力する無線信号を、受信専用アンテナによって高レベルの信号として受信してしまう。このため、本来、受信専用アンテナで受信（検出）すべき無線信号、例えば、他の無線通信装置が出力する無線信号や気象レーダーの信号を正確に受信して復調することができないという問題がある。このため、受信専用のアンテナを送受信用のアンテナとは別に備える無線通信装置において、受信専用のアンテナによる無線信号の受信精度の低下を抑制可能な技術が望まれている。
【課題を解決するための手段】
【０００５】
本発明は、上述の課題の少なくとも一部を解決するためになされたものであり、以下の形態として実現することが可能である。
【０００６】
（１）本発明の一形態によれば、無線通信装置が提供される。この無線通信装置は、無線送信部と第１無線受信部とを有する１つ以上の無線通信部であって、前記無線送信部による無線信号の送信が行われている場合に、該送信が行われていることを示す送信実行信号を出力する無線通信部と；前記無線通信部による無線通信のために電波の送受信を行う１つ以上の第１アンテナと；無線信号の送信と無線信号の受信とのうち、無線信号の受信を行う第２無線受信部と；前記第２無線受信部による無線信号の受信のために、電波の送信と電波の受信とのうち、電波の受信を行う第２アンテナと；前記送信実行信号又は前記送信実行信号に基づき生成される無効化実行信号を入力した場合に、前記第２アンテナで受信された電波に基づく無線信号の受信を、無効化する受信無効化部と；を備える。
【０００７】
この形態の無線通信装置によれば、送信実行信号又は送信実行信号に基づき生成される無効化実行信号が受信無効化部に入力された場合に、第２アンテナで受信された電波に基づく無線信号の受信を無効化するので、無線送信部により無線信号を送信している間に、第２アンテナで受信された電波に基づく無線信号の受信を無効化できる。言い換えると、無線送信部により無線信号を送信していない間において第２アンテナで受信された電波に基づき無線信号を受信するので、第２アンテナによる無線信号の受信精度の低下を抑制できる。
【０００８】
（２）上記形態の無線通信装置において、複数の前記無線通信部と；複数の前記無線通信部がそれぞれ出力する前記送信実行信号を入力し、前記無効化実行信号を出力するＯＲ回路と；を更に備え；前記受信無効化部は、前記ＯＲ回路から出力される前記無効化実行信号を入力してもよい。この形態の無線通信装置によれば、受信無効化部は、ＯＲ回路から出力される無効化実行信号を入力するので、複数の無線通信部のいずれかの無線通信部において無線信号が送信されている間に、第２アンテナで受信された電波に基づく無線信号の受信を無効化でき、第２アンテナによる無線信号の受信精度の低下をより確実に抑制できる。
【０００９】
（３）上記形態の無線通信装置において、前記無線通信部は、半二重通信により、無線通信を実行してもよい。この形態の無線通信装置によれば、半二重通信を行う構成において、第２アンテナによる無線信号の受信精度の低下を抑制できる。
【００１０】
（４）上記形態の無線通信装置において、前記無線送信部は、信号出力部と、前記信号出力部からの出力信号を増幅する増幅器と、前記増幅器による増幅動作を指示する送信制御部と、を有し；前記送信実行信号は、前記送信制御部が前記増幅動作を前記増幅器に指示するための信号と一致してもよい。この形態の無線通信装置によれば、送信実行信号は、送信制御部が増幅動作を増幅器に指示するための信号と一致するので、送信実行信号を出力するための専用の構成（信号出力のための専用機能および専用配線）を省略でき、無線通信装置の製造コストを抑えることができる。
【００１１】
（５）上記形態の無線通信装置において、前記受信無効化部は、前記第２無線受信部を前記第２アンテナに電気的に接続するための第１導線と；前記第２無線受信部を第１終端抵抗に電気的に接続するための第２導線と；前記第２無線受信部を、前記第１導線と前記第２導線とのうちのいずれかに選択的に接続するための第１スイッチ回路と；を有し、前記無効化実行信号を入力した場合に、前記第２無線受信部と前記第２導線とが電気的に接続するように前記第１スイッチ回路を動作させてもよい。この形態の無線通信装置によれば、無効化実行信号を入力した場合に、第２無線受信部と第２導線とが電気的に接続するように第１スイッチ回路が動作されるので、無線信号が送信されている間に、第２無線受信部を第１終端抵抗に電気的に接続でき、無線信号の受信を無効化できる。
【００１２】
（６）上記形態の無線通信装置において、前記受信無効化部は、前記第２アンテナを第２終端抵抗に電気的に接続するための第３導線と；前記第２アンテナを、前記第１導線と前記第３導線とのうちのいずれかに選択的に接続するための第２スイッチ回路と；を有し、前記無効化実行信号を入力した場合に、前記第２アンテナと前記第３導線とが電気的に接続するように前記第２スイッチ回路を動作させてもよい。この形態の無線通信装置によれば、無効化実行信号を入力した場合に、第２アンテナと第３導線とが電気的に接続するように第２スイッチ回路が動作されるので、無線信号が送信されている間に、第２アンテナを第２終端抵抗に電気的に接続できる。このため、第１アンテナから出力された電波が第２アンテナに入力されたとしても、かかる電波が第２無線受信部に受信されることを抑制できる。加えて、第１アンテナから出力された電波が第２アンテナに入力されたとしても、かかる入力電波のエネルギーを第２終端抵抗で吸収でき、単純に断線させた場合に懸念される「反射波が第２アンテナから出力すること」を抑制できる。
【００１３】
（７）上記形態の無線通信装置において、前記第２無線受信部は、前記無線通信部による無線通信のための周囲の無線通信環境の確認のために前記第２アンテナを用いた無線信号の受信を行ってもよい。この形態の無線通信装置によれば、無線通信装置の周囲の無線通信環境を精度良く確認できる。
【００１４】
本発明は、互いに同じ周波数帯を利用する送受信装置と受信装置とを備える無線機器に関連する種々の形態で実現することも可能である。例えば、無線ＬＡＮアクセスポイント装置や無線ＬＡＮクライアント装置などの無線ＬＡＮ装置や、無線信号の送受信方法や、かかる方法を実現するためのコンピュータプログラムや、かかるコンピュータプログラムを記録した一時的ではないコンピュータ読み取り可能な記録媒体等の形態で実現することができる。
【図面の簡単な説明】
【００１５】
【図１】本発明の一実施形態としての無線通信装置の機能を示すブロック図である。
【図２】無線通信装置の詳細構成を示すブロック図である。
【図３】無線信号の送信時の無線通信装置の状態を示す説明図である。
【図４】無線信号の受信時の無線通信装置の状態を示す説明図である。
【図５】第２実施形態の無線通信装置の詳細構成を示すブロック図である。
【図６】第３実施形態の無線通信装置の詳細構成を示すブロック図である。
【図７】第４実施形態の無線通信装置の詳細構成を示すブロック図である。
【発明を実施するための形態】
【００１６】
Ａ．第１実施形態：
Ａ１．装置構成：
図１は、本発明の一実施形態としての無線通信装置の機能を示すブロック図である。本実施形態において、無線通信装置１００は、無線ＬＡＮアクセスポイント装置として機能する。無線通信装置１００は、２つの無線通信部１０、２０と、第２無線受信部３０と、受信無効化部４０と、アプリケーションプロセッサ５０と、２つの第１アンテナ９１、９２と、第２アンテナ９３とを備える。
【００１７】
無線通信部１０は、無線送信部１１と、第１無線受信部１２とを備える。無線送信部１１は、アプリケーションプロセッサ５０で実行されるＷｅｂサーバアプリケーションやユーザインターフェイス用のアプリケーション等の各種アプリケーションからデータを受け取ると、ＭＡＣ（Media Access Control）データを作成し、さらに、かかるＭＡＣデータに基づき無線信号を生成して第１アンテナ９１を介して出力する。第１無線受信部１２は、第１アンテナ９１を介して受信する電波からＭＡＣデータを形成し、さらに、かかるＭＡＣデータに基づきアプリケーションデータを生成してアプリケーションプロセッサ５０に出力する。無線通信部２０は、無線通信部１０と同様な構成を有する。具体的には、無線通信部２０は、無線送信部１１と同じ機能を有する無線送信部２１と、第１無線受信部１２と同じ機能を有する第１無線受信部２２と、を備える。本実施形態において、２つの無線通信部１０、２０は、いずれもＩＥＥＥ８０２．１１ｎに規定された２．４ＧＨｚ帯の周波数帯域を用いた無線通信を行う。本実施形態では、２つの無線通信部１０、２０は、いずれも単一のＲＦ（Radio Frequency）回路の一部として構成されている。
【００１８】
第２無線受信部３０は、無線通信装置１００の周囲の無線通信環境、具体的には、２．４ＧＨｚ帯の各チャンネルを利用した他の通信の有無を検出するために、無線信号の送信と無線信号の受信とのうち、無線信号の受信を行う。第２無線受信部３０は、検出した他の通信における使用チャンネルを、図示しない主制御部に通知する。主制御部は、かかる通知を受信すると、使用チャンネルの変更を各無線通信部１０、２０に通知する。各無線通信部１０、２０は、通知された使用チャンネルを除く他のチャンネルを、無線通信に使用するチャンネルに設定する。上述の図示しない制御部は、無線通信装置１００のうち、アプリケーションプロセッサ５０を除く機能部により実現され、無線ＬＡＮアクセスポイントとしての機能全体を制御する。
【００１９】
受信無効化部４０は、所定の条件の下、第２無線受信部３０による無線信号の受信を無効化する。換言すると、受信無効化部４０は、所定の条件の下、後述の第２アンテナ９３で受信された電波に基づく無線信号の受信を無効化する。かかる無線信号の無効化の具体的な方法、および無効化を実行するための条件については、後述する。
【００２０】
アプリケーションプロセッサ５０は、無線通信装置１００が提供する無線ＬＡＮアクセスポイントとしての機能に対して付加的な機能を提供する。例えば、図示しない表示部に表示させるメニュー画面の作成などのユーザインターフェイスを実現するための機能や、Ｗｅｂサーバとしての機能などを実現する。
【００２１】
第１アンテナ９１は、無線通信部１０に電気的に接続されており、無線通信部１０による無線通信のために電波の送受信を行う。第１アンテナ９２は、無線通信部２０に電気的に接続されており、無線通信部２０による無線通信のために電波の送受信を行う。第２アンテナ９３は、第２無線受信部３０に電気的に接続されており、第２無線受信部３０による無線信号の受信のために、電波の送信と電波の受信とのうち、電波の受信を行う。
【００２２】
本実施形態において、第１アンテナ９１および第１アンテナ９２は、ＭＩＭＯ（Multiple Input Multiple Output）を実現するために用いられている。すなわち、無線通信装置１００では、各第１アンテナ９１、９２からそれぞれ異なるデータに基づく無線信号を同時に出力することにより、通信速度を向上させることができる。また、各無線通信部１０、２０は、半二重通信により無線通信を実行する。したがって、例えば、無線通信部１０では、無線送信部１１による第１アンテナ９１を介した無線信号の受信と、第１無線受信部１２による第１アンテナ９１を介した無線信号の受信とが、短時間の間に切り替わりながら実行される。
【００２３】
図２は、無線通信装置１００の詳細構成を示すブロック図である。図２では、図１とは異なり、アプリケーションプロセッサ５０を除く他の機能部の具体的な装置構成を示す。
【００２４】
無線通信装置１００は、２つの送受信切替スイッチ１０３、２０３と、２つの増幅器１０１、２０１と、２つのローノイズアンプ１０２、２０２と、第１ベースバンドプロセッサ（以下、「第１ＢＢプロセッサ」と呼ぶ）１５０と、第２ベースバンドプロセッサ（以下、「第２ＢＢプロセッサ」と呼ぶ）１６０と、ＯＲ回路６１と、ＮＯＴ回路６２と、第１導線４１と、第２導線４２と、第３導線４３と、第１スイッチ回路４４と、第２スイッチ回路４５と、上述の３つのアンテナ９１〜９３を備える。
【００２５】
送受信切替スイッチ１０３は、第１アンテナ９１の接続先を増幅器１０１とローノイズアンプ１０２とのうちのいずれか一方に選択的に切り替える。同様に、送受信切替スイッチ２０３は、第１アンテナ９２の接続先を増幅器２０１とローノイズアンプ２０２とのうちのいずれか一方に選択的に切り替える。各送受信切替スイッチ１０３、２０３は、図示しない導線により第１ＢＢプロセッサ１５０に接続されている。各送受信切替スイッチ１０３、２０３の接続先の切替は、第１ＢＢプロセッサ１５０からの指示に応じて実行される。
【００２６】
増幅器１０１は、いわゆる高周波パワーアンプに相当する。増幅器１０１は、第１ＢＢプロセッサ１５０および送受信切替スイッチ１０３と電気的に接続されており、第１ＢＢプロセッサ１５０から出力された無線信号を増幅して送受信切替スイッチ１０３に出力する。増幅器１０１は、後述する送信制御部１５２が出力するイネーブル信号を受信する場合に、無線信号の増幅を実行する。換言すると、イネーブル信号は、後述する送信制御部１５２が増幅動作を増幅器１０１に指示するための信号といえる。同様に、増幅器２０１もパワーアンプに相当し、第１ＢＢプロセッサ１５０および送受信切替スイッチ２０３と電気的に接続されており、第１ＢＢプロセッサ１５０から出力された無線信号を増幅して送受信切替スイッチ２０３に出力する。増幅器２０１は、後述する送信制御部１５６が出力するイネーブル信号を受信する場合に、無線信号の増幅を実行する。
【００２７】
ローノイズアンプ１０２は、送受信切替スイッチ１０３および第１ＢＢプロセッサ１５０と電気的に接続されており、第１アンテナ９１を介して受信する無線信号のうち、所定の周波数帯の信号を増幅して第１ＢＢプロセッサ１５０に出力する。同様に、ローノイズアンプ２０２は、送受信切替スイッチ２０３および第１ＢＢプロセッサ１５０と電気的に接続されており、第１アンテナ９２を介して受信する無線信号のうち、所定の周波数帯の信号を増幅して第１ＢＢプロセッサ１５０に出力する。
【００２８】
第１ＢＢプロセッサ１５０は、図示しないメモリに予め記憶されている制御プログラムを実行することにより、信号出力部１５１、送信制御部１５２、受信制御部１５３、信号出力部１５５、送信制御部１５６、および受信制御部１５７として、それぞれ機能する。信号出力部１５１は、送信すべきデータをアナログ信号として出力する。送信制御部１５２は、信号出力部１５１からの出力信号を、増幅器１０１を用いて増幅させて第１アンテナ９１から出力させる。このとき、送信制御部１５２は、増幅器１０１にイネーブル信号を送信することにより増幅器１０１に信号の増幅を指示する。受信制御部１５３は、第１アンテナ９１を介した無線信号の受信を制御する。具体的には、受信制御部１５３は、第１アンテナ９１を介して無線信号を受信しようとする場合、ローノイズアンプ１０２に対してイネーブル信号を送信し、第１アンテナ９１から受信する無線信号を増幅させる。なお、増幅後の無線信号を受信した受信制御部１５３では、所定周波数帯の無線信号をフィルタする。信号出力部１５５は、上述の信号出力部１５１と同様な機能を有するので、その詳細な説明を省略する。また、送信制御部１５６は、上述の送信制御部１５２と同様な機能を有するので、その詳細な説明を省略する。また、受信制御部１５７は、上述の受信制御部１５３と同様な機能を有するので、その詳細な説明を省略する。なお、送信制御部１５２と増幅器１０１とは、上述の無線送信部１１に相当する。また、受信制御部１５３とローノイズアンプ１０２とは上述の第１無線受信部１２に、送信制御部１５６と増幅器２０１とは上述の無線送信部２１に、受信制御部１５７とローノイズアンプ２０２とは上述の第１無線受信部２２に、それぞれ相当する。
【００２９】
第２ＢＢプロセッサ１６０は、図示しないメモリに予め記憶されている制御プログラムを実行することにより、上述の第２無線受信部３０として機能する。
【００３０】
ＯＲ回路６１の入力端子は、第１ＢＢプロセッサ１５０と増幅器１０１との間の導線、および第１ＢＢプロセッサ１５０と増幅器２０１との間の導線に、電気的に接続されている。したがって、ＯＲ回路６１は、第１ＢＢプロセッサ１５０から増幅器１０１に送信されるイネーブル信号、換言すると送信制御部１５２から出力されるイネーブル信号を入力する。同様に、ＯＲ回路６１は、第１ＢＢプロセッサ１５０から増幅器２０１に送信されるイネーブル信号、換言すると、送信制御部１５６から出力されるイネーブル信号を入力する。したがって、ＯＲ回路６１からの出力信号は、送信制御部１５２と送信制御部１５６との少なくとも一方がイネーブル信号を送信している場合には、ＨＩとなり、送信制御部１５２と送信制御部１５６とのいずれもイネーブル信号を送信していない場合には、ＬＯとなる。ＯＲ回路６１の出力端子は、ＮＯＴ回路６２と、第１スイッチ回路４４と、第２スイッチ回路４５とに電気的に接続されている。なお、第１ＢＢプロセッサ１５０から２つの増幅器１０１、２０１に送信されるイネーブル信号は、課題を解決するための手段欄における送信実行信号の下位概念に相当する。また、ＯＲ回路６１から出力されるＨＩの信号は、課題を解決するための手段欄における無効化実行信号の下位概念に相当する。
【００３１】
ＮＯＴ回路６２の入力端子は、ＯＲ回路６１の出力端子に電気的に接続されている。したがって、送信制御部１５２と送信制御部１５６との少なくとも一方がイネーブル信号を送信している場合には、ＬＯとなり、送信制御部１５２と送信制御部１５６とのいずれもイネーブル信号を送信していない場合には、ＨＩとなる。ＮＯＴ回路６２の出力端子は、第１スイッチ回路４４と、第２スイッチ回路４５とに電気的に接続されている。
【００３２】
第１導線４１は、第２ＢＢプロセッサ１６０（第２無線受信部３０）を第２アンテナ９３に接続するための導線である。本実施形態において、第１導線４１は、第１スイッチ回路４４と第２スイッチ回路４５とを電気的に接続する。第２導線４２は、第２ＢＢプロセッサ１６０（第２無線受信部３０）を、第１終端抵抗４０１に電気的に接続するための導線である。第３導線４３は、第２アンテナ９３を、第２終端抵抗４０２に電気的に接続するための導線である。２つの終端抵抗４０１、４０２は、アンテナの代わりとなる終端機能を有し、無誘導抵抗器（高周波においてもＬ性、Ｃ性にならないように工夫された抵抗器）、ダミーロード（擬似負荷、擬似負荷抵抗）で構成されている。
【００３３】
第１スイッチ回路４４は、ローノイズアンプ３１を介して第２ＢＢプロセッサ１６０と電気的に接続されている。また、第１スイッチ回路４４は、第１導線４１と、第２導線４２とに電気的に接続されている。第１スイッチ回路４４は、第２ＢＢプロセッサ１６０（第２無線受信部３０）を、第１導線４１と第２導線４２とのうちのいずれかに選択的に接続する。また、第１スイッチ回路４４は、ＯＲ回路６１の出力端子と、ＮＯＴ回路６２の出力端子とにそれぞれ電気的に接続されており、これらからの入力される信号に基づき、上述の接続状態を切り替える。具体的には、第１スイッチ回路４４は、ＯＲ回路６１からの入力信号がＬＯであり、且つ、ＮＯＴ回路６２からの入力信号がＨＩである場合に、第２ＢＢプロセッサ１６０（第２無線受信部３０）を第１導線４１に接続する。また、第１スイッチ回路４４は、ＯＲ回路６１からの入力信号がＨＩであり、且つ、ＮＯＴ回路６２からの入力信号がＬＯである場合に、第２ＢＢプロセッサ１６０（第２無線受信部３０）を第２導線４２に接続する。第１スイッチ回路４４がＯＲ回路６１とＮＯＴ回路６２とにそれぞれ接続されているのは、第２ＢＢプロセッサ１６０（第２無線受信部３０）と第１導線４１との接続状態と、第２ＢＢプロセッサ１６０（第２無線受信部３０）と第２導線４２との接続状態を、確実に切り替えるためである。
【００３４】
第２スイッチ回路４５は、第２アンテナ９３と、第１導線４１と、第３導線４３とに電気的に接続されており、第２アンテナ９３を、第１導線４１と第３導線４３とのうちのいずれかに選択的に接続する。また、第２スイッチ回路４５は、第１スイッチ回路４４と同様に、ＯＲ回路６１の出力端子と、ＮＯＴ回路６２の出力端子とにそれぞれ電気的に接続されており、これらからの入力される信号に基づき、上述の接続状態を切り替える。具体的には、第１スイッチ回路４４と同様に、第２スイッチ回路４５は、ＯＲ回路６１からの入力信号がＬＯであり、且つ、ＮＯＴ回路６２からの入力信号がＨＩである場合に、第２アンテナ９３を第１導線４１に接続する。また、第２スイッチ回路４５は、ＯＲ回路６１からの入力信号がＨＩであり、且つ、ＮＯＴ回路６２からの入力信号がＬＯである場合に、第２アンテナ９３を第３導線４３に接続する。第２スイッチ回路４５がＯＲ回路６１とＮＯＴ回路６２とにそれぞれ接続されているのは、上述の第１スイッチ回路４４における理由と同じである。
【００３５】
なお、図２では、第１スイッチ回路４４は、ローノイズアンプ３１を介して第２ＢＢプロセッサ１６０（第２無線受信部３０）と第１導線４１とを接続している。また、第２スイッチ回路４５は、第２アンテナ９３と第１導線４１とを電気的に接続している。したがって、図２の状態では、第２アンテナ９３で受信された無線信号は、第２ＢＢプロセッサ１６０（第２無線受信部３０）に入力される。
【００３６】
Ａ２．送信時の動作：
図３は、無線信号の送信時の無線通信装置１００の状態を示す説明図である。無線送信部１１および無線送信部２１から無線信号を送信する場合、無線送信部１１において、送信制御部１５２は、イネーブル信号Ｓ１を増幅器１０１に出力し、増幅器１０１は、信号出力部１５１から出力される信号を増幅する。そして増幅後の無線信号が第１アンテナ９１から出力される。同時に、無線送信部２１において、送信制御部１５６は、イネーブル信号Ｓ２を増幅器２０１に出力し、増幅器２０１は、信号出力部１５５から出力される信号を増幅する。そして、増幅後の無線信号が第１アンテナ９２から出力される。
【００３７】
ここで、図３に示すように、送信制御部１５２から出力されたイネーブル信号Ｓ１と、送信制御部１５６から出力されたイネーブル信号Ｓ２とは、同時にＯＲ回路６１に入力される。このため、ＯＲ回路６１からの出力信号Ｓ１０は、ＨＩとなり、２つのスイッチ回路４４、４５に入力される。また、出力信号Ｓ１０を入力するＮＯＴ回路６２は、ＬＯの出力信号Ｓ１１を出力する。このため、２つのスイッチ回路４４、４５には、ＮＯＴ回路６２からＬＯの出力信号Ｓ１１が入力される。このため、第２ＢＢプロセッサ１６０（第２無線受信部３０）は、ローノイズアンプ３１を介して第２導線４２に接続され、さらには、ローノイズアンプ３１および第２導線４２を介して第１終端抵抗４０１に接続されることとなる。したがって、無線送信部１１および無線送信部２１から無線信号を送信する場合、第２無線受信部３０は、第２アンテナ９３とは電気的に接続されず、第２アンテナ９３で受信した電波に基づく無線信号の受信を行わない。このようにして、第１アンテナ９１および第１アンテナ９２から出力された無線信号を、第２アンテナ９３を介して受信することが抑制される。このとき、第２アンテナ９３は、第３導線４３に接続され、さらには、第３導線４３を介して第２終端抵抗４０２に接続されることとなる。このため、第２アンテナ９３で受信した無線信号は第２終端抵抗４０２によって吸収され、単純に断線させた場合に懸念される「第２アンテナ９３から外部への反射波の出力」が抑制される。
【００３８】
Ａ３．受信時の動作：
図４は、無線信号の受信時の無線通信装置１００の状態を示す説明図である。第１無線受信部１２および第１無線受信部２２において無線信号を受信する場合、第１無線受信部１２において、受信制御部１５３は、増幅機能を有効化するイネーブル信号（イネーブル信号Ｓ３）をローノイズアンプ１０２に出力し、ローノイズアンプ１０２は、第１アンテナ９１を介して受信する無線信号を増幅して第１ＢＢプロセッサ１５０に出力する。同時に、第１無線受信部２２において受信制御部１５７は、イネーブル信号Ｓ４をローノイズアンプ２０２に出力し、ローノイズアンプ２０２は、第１アンテナ９２を介して受信する無線信号を増幅して第１ＢＢプロセッサ１５０に出力する。
【００３９】
ここで、図４に示すように、送信制御部１５２および送信制御部１５６からは、上述のイネーブル信号Ｓ１、Ｓ２が送信されていない。したがって、ＯＲ回路６１からの出力信号Ｓ２０は、ＬＯとなり、２つのスイッチ回路４４、４５に入力される。また、ＬＯの出力信号Ｓ２０を入力するＮＯＴ回路６２は、ＨＩの出力信号Ｓ２１を出力する。したがって、２つのスイッチ回路４４、４５には、ＮＯＴ回路６２からＨＩの出力信号Ｓ２１が入力される。このため、第２ＢＢプロセッサ１６０（第２無線受信部３０）は、ローノイズアンプ３１を介して第１導線４１に接続され、第２アンテナ９３は第１導線４１に接続されることとなる。つまり、第２ＢＢプロセッサ１６０（第２無線受信部３０）と第２アンテナ９３とが電気的に接続されることとなる。したがって、第１無線受信部１２および第１無線受信部２２において無線信号を受信する場合、第２無線受信部３０は、第２アンテナ９３で受信した電波に基づく無線信号の受信を行う。このとき、無線送信部１１および無線送信部２１は無線信号を送信していないので、第１アンテナ９１および第１アンテナ９２から出力された無線信号を、第２アンテナ９３を介して受信することは無い。したがって、第２無線受信部３０は、第２アンテナ９３を介して無線信号を精度良く受信して復調できる。
【００４０】
以上説明した第１実施形態の無線通信装置１００によれば、イネーブル信号Ｓ１、Ｓ２に基づき生成されるＯＲ回路６１の出力信号（ＨＩの信号）が受信無効化部４０（第１スイッチ回路４４および第２スイッチ回路４５）に入力された場合に、第２アンテナ９３で受信された電波に基づく無線信号の受信が無効化されるので、無線送信部１１、２１により無線信号を送信している間に、第２アンテナ９３で受信された電波に基づく無線信号の受信を無効化できる。言い換えると、無線送信部１１、２１により無線信号を送信していない間において第２アンテナ９３で受信された電波に基づき無線信号を受信するので、第２アンテナ９３による無線信号の受信精度の低下を抑制できる。
【００４１】
また、受信無効化部４０は、ＯＲ回路６１からの出力信号を入力するので、２つの無線送信部１１、２１のいずれかの無線通信部において、無線信号が送信されている間に、第２アンテナ９３で受信された電波に基づく無線信号の受信を無効化でき、第２アンテナ９３による無線信号の受信精度の低下をより確実に抑制できる。また、半二重通信を行う構成において、第２アンテナ９３による無線信号の受信精度の低下を抑制できる。
【００４２】
また、ＯＲ回路６１に入力されるイネーブル信号Ｓ１、Ｓ２は、送信制御部１５２、１５６が増幅動作を増幅器１０１、２０１に指示するための信号と一致するので、イネーブル信号Ｓ１、Ｓ２とは別に、無線送信部１１、１２が無線信号を送信していることを示す信号を出力するための専用の構成（信号出力のための専用機能および専用配線）を省略でき、無線通信装置１００の製造コストを抑えることができる。
【００４３】
また、ＯＲ回路６１から出力されるＨＩの出力信号を入力した場合に、第２無線受信部３０と第２導線４２とが電気的に接続するように第１スイッチ回路４４が動作されるので、無線信号が送信されている間に、第２無線受信部３０を第１終端抵抗４０１に電気的に接続でき、無線信号の受信を無効化できる。
【００４４】
また、ＯＲ回路６１から出力されるＨＩの出力信号を入力した場合に、第２アンテナ９３と第３導線４３とが電気的に接続するように第２スイッチ回路４５が動作されるので、無線信号が送信されている間に、第２アンテナ９３を第２終端抵抗４０２に電気的に接続できる。このため、第１アンテナ９１、９２から出力された電波が第２アンテナ９３に入力されたとしても、かかる電波が第２無線受信部３０に受信されることを抑制できる。加えて、第１アンテナ９２から出力された電波が第２アンテナ９３に入力されたとしても、かかる入力電波のエネルギーを第２終端抵抗４０２で吸収でき、単純に断線させた場合に懸念される「第２アンテナ９３から外部への反射波の出力」を抑制できる。
【００４５】
また、第２無線受信部３０は、無線通信部１０、２０による無線通信のための周囲の無線通信環境の確認のために第２アンテナ９３を用いた無線信号の受信を行うので、かかる無線通信環境を精度良く確認できる。
【００４６】
Ｂ．第２実施形態：
図５は、第２実施形態の無線通信装置１００ａの詳細構成を示すブロック図である。第２実施形態の無線通信装置１００ａは、第２導線４２に代えて第２導線４７を備える点、および第３導線４３に代えて第３導線４８を備える点において、図２に示す第１実施形態の無線通信装置１００と異なる。第２実施形態の無線通信装置１００ａにおけるその他の構成は、第１実施形態の無線通信装置１００と同じであるので、同一の構成要素には同一の符号を付し、その詳細な説明を省略する。
【００４７】
図５に示すように、第２導線４７および第３導線４８は、いずれもアッテネータ３００に電気的に接続されている。そして、第２導線４７、アッテネータ３００、第３導線４８の順序で並んだ導電経路が構成されている。アッテネータ３００は、入力信号を減衰させる。具体的には、本実施形態では、アッテネータ３００は、第２アンテナ９３により受信した電波を復調不可能な程度まで減衰する。なお、減衰の程度は、復調不可能な程度に限らず、受信精度の低下を抑制できる任意の程度であってもよい。
【００４８】
第１無線受信部１２および第１無線受信部２２において無線信号を受信する場合、第１実施形態の図４に示すように、第１スイッチ回路４４には、ＯＲ回路６１からのＬＯの出力信号Ｓ２０と、ＮＯＴ回路６２からのＨＩの出力信号Ｓ２１とが入力される。このため、図５に示すように、第１スイッチ回路４４は、第２ＢＢプロセッサ１６０（第２無線受信部３０）と第１導線４１とを接続する。同時に、第２スイッチ回路４５は、第２アンテナ９３と第１導線４１とを接続する。したがって、第１実施形態と同様に、第２無線受信部３０は、第２アンテナ９３で受信した電波に基づく無線信号の受信を行う。
【００４９】
これに対して、無線送信部１１および無線送信部２１から無線信号を送信する場合、第１実施形態の図３に示すように、第１スイッチ回路４４には、ＯＲ回路６１からのＨＩの出力信号Ｓ１０と、ＮＯＴ回路６２からのＬＯの出力信号Ｓ１１とが入力される。このため、第１スイッチ回路４４は、第２ＢＢプロセッサ１６０（第２無線受信部３０）と第２導線４７とを接続する。また、第２スイッチ回路４５は、第２アンテナ９３と第３導線４８とを接続する。したがって、第２アンテナ９３と第２ＢＢプロセッサ１６０（第２無線受信部３０）とは、アッテネータ３００を介して電気的に接続される。しかし、第２アンテナ９３で受信された無線信号は、アッテネータ３００において減衰されて第２無線受信部３０に入力されるため、アッテネータ３００が無く減衰されずに受信する場合に比べて、周囲の無線通信環境の確認に対する影響は小さい。このため、第２実施形態の無線通信装置１００ａにおいても、第２無線受信部３０は、第２アンテナ９３を介して無線信号を精度良く受信して復調できる。
【００５０】
以上説明した第２実施形態の無線通信装置１００ａは、第１実施形態の無線通信装置１００と同様な効果を有する。なお、第１実施形態および第２実施形態から理解できるように、第２アンテナ９３において受信した電波を第２無線受信部３０において受信しない、或いは、第２アンテナ９３において受信した電波を減衰させて第２無線受信部３０に受信させることは、課題を解決するための手段欄における「第２アンテナで受信された電波に基づく無線信号の受信を、無効化する」の下位概念に相当する。
【００５１】
Ｃ．第３実施形態：
図６は、第３実施形態の無線通信装置１００ｂの詳細構成を示すブロック図である。第３実施形態の無線通信装置１００ｂは、ローノイズアンプ３１に代えてローノイズアンプ４９を備える点において、第２実施形態の無線通信装置１００ａと異なる。第３実施形態の無線通信装置１００ｂにおけるその他の構成は、第２実施形態の無線通信装置１００ｂと同じであるので、同一の構成要素には同一の符号を付し、その詳細な説明を省略する。
【００５２】
このような構成を有する第３実施形態の無線通信装置１００ｂは、第２実施形態の無線通信装置１００ａと同様な効果を有する。
【００５３】
Ｄ．第４実施形態：
図７は、第３実施形態の無線通信装置１００ｃの詳細構成を示すブロック図である。第４実施形態の無線通信装置１００ｃは、受信無効化部４０に代えて受信無効化部４０ａを備える点と、２つの終端抵抗４０１、４０２が省略されている点とにおいて、図２に示す第１実施形態の無線通信装置１００と異なる。第４実施形態の無線通信装置１００ｃにおけるその他の構成は、第１実施形態の無線通信装置１００と同じであるので、同一の構成要素には同一の符号を付し、その詳細な説明を省略する。
【００５４】
第４実施形態の受信無効化部４０ａは、ローノイズアンプ３１のみで構成されている。ＮＯＴ回路６２から出力される出力信号Ｓ１１、Ｓ２１は、いずれも、イネーブル信号として、ローノイズアンプ３１に入力される。
【００５５】
図３を用いて説明したように、無線信号の送信時には、ＯＲ回路６１からの出力信号Ｓ１０がＮＯＴ回路６２に入力されるため、ＮＯＴ回路６２は、ＬＯの出力信号Ｓ１１をローノイズアンプ３１に出力する。したがって、この場合、ローノイズアンプ３１は増幅を行わないため、第２アンテナ９３で受信された信号は、第２無線受信部３０において有効な信号として受信されない。
【００５６】
これに対して、図４を用いて説明したように、無線信号の受信時には、ＯＲ回路６１からの出力信号Ｓ２０がＮＯＴ回路６２に入力されるため、ＮＯＴ回路６２は、ＨＩの出力信号Ｓ２１をローノイズアンプ３１に出力する。したがって、この場合、ローノイズアンプ３１は増幅を実行し、第２アンテナ９３で受信された信号は、第２無線受信部３０において有効な信号として受信されることとなる。
【００５７】
以上の構成を有する第４実施形態の無線通信装置１００ｃは、第１実施形態の無線通信装置１００と同様な効果を有する。加えて、受信無効化部４０ａを簡易な構成で実現できるため、無線通信装置１００ｃの製造コストを抑えることができる。
【００５８】
Ｅ．変形例：
Ｅ１．変形例１：
各実施形態の無線通信装置１００、１００ａは、２つの無線通信部１０、２０を備えていたが、１つの無線通信装置、または、３つ以上の任意の数の無線通信部を備えてもよい。１つの無線通信装置を備える構成においては、ＯＲ回路６１を省略して、各スイッチ回路４４、４５にイネーブル信号を入力してもよい。
【００５９】
Ｅ２．変形例２：
各実施形態では、ＯＲ回路６１に入力される信号は、イネーブル信号Ｓ１、Ｓ２であったが、これらの信号に代えて、または、これらの信号に加えて、無線送信部１１、２１による無線通信の送信が行われていることを示す任意の信号を、ＯＲ回路６１に入力してもよい。
【００６０】
Ｅ３．変形例３：
第１スイッチ回路４４および第２スイッチ回路４５の詳細構成は、各実施形態の構成に限らない。例えば、第１実施形態においては、無線送信部１１および無線送信部２１から無線信号を送信する場合に第２アンテナ９３と第２ＢＢプロセッサ１６０（第２無線受信部３０）とを電気的に絶縁し、第１無線受信部１２および第１無線受信部２２において無線信号を受信する場合に第２アンテナ９３と第２ＢＢプロセッサ１６０（第２無線受信部３０）とを電気的に接続可能な任意の構成を採用してもよい。また、第２実施形態においては、無線送信部１１および無線送信部２１から無線信号を送信する場合に第２アンテナ９３と第２ＢＢプロセッサ１６０（第２無線受信部３０）とをアッテネータ３００を介して電気的に接続し、第１無線受信部１２および第１無線受信部２２において無線信号を受信する場合に第２アンテナ９３と第２ＢＢプロセッサ１６０（第２無線受信部３０）とをアッテネータ３００を介さずに電気的に接続可能な任意の構成を採用してもよい。
【００６１】
Ｅ４．変形例４：
第１実施形態において、第３導線４３および第２スイッチ回路４５を省略してもよい。つまり、第２アンテナ９３と第１導線４１とを常時電気的に接続する構成としてもよい。この構成においても、無線送信部１１および無線送信部２１から無線信号を送信する場合に、第１スイッチ回路４４によって、第２ＢＢプロセッサ１６０（第２無線受信部３０）を第２導線４２を介して第１終端抵抗４０１に接続させ、また、第１無線受信部１２および第１無線受信部２２において無線信号を受信する場合に、第１スイッチ回路４４によって、第２ＢＢプロセッサ１６０（第２無線受信部３０）を第１導線４１を介して第２アンテナ９３に接続させることができ、第１実施形態の無線通信装置１００と同様な効果を奏する。
【００６２】
Ｅ５．変形例５：
各実施形態では、第２無線受信部３０は、無線通信装置１００、１００ａの周囲の無線通信環境の確認のために第２アンテナ９３を用いた無線信号の受信を行っていたが、本発明はこれに限定されない。例えば、ＭＩＭＯにおける通信相手との通信モードのネゴシエーションの結果、無線通信装置１００、１００ａが２×２であって相手が３×３の場合、無線通信装置１００、１００ａにおける通信モードを２×３に変更して復調をサポートするために、第２アンテナ９３を用いた無線信号の受信を行ってもよい。このような構成であっても、例えば、第１実施形態のように、無線送信部１１、２１が無線信号の出力を行っていない場合に、第２アンテナ９３を介した無線信号の受信を行うことにより、第１実施形態の無線通信装置１００と同様な効果を奏する。また、例えば、第２実施形態と同様な動作とすることにより、第２実施形態の無線通信装置１００ａと同様な効果を奏する。
【００６３】
Ｅ６．変形例６：
各実施形態では、２つの無線通信部１０、２０は、いずれもＩＥＥＥ８０２．１１ｎに規定された２．４ＧＨｚ帯の周波数帯域を用いた無線通信を行っていたが、２．４ＧＨｚ帯に代えて、他の任意の周波数帯、例えば、５ＧＨｚ帯の周波数帯域を用いた無線通信を行ってもよい。また、複数の周波数帯域を用いた無線通信を行ってもよい。例えば、無線送信部１１が２．４ＧＨｚ帯の周波数帯域を用い、無線送信部２１が５ＧＨｚ帯の周波数帯域を用いてもよい。このように複数の周波数帯を用いた無線通信を行う場合、第２無線受信部３０を、各周波数帯域に対して１つずつ設ける必要がある。例えば、上述のように、無線送信部１１が２．４ＧＨｚ帯の周波数帯域を用い、無線送信部２１が５ＧＨｚ帯の周波数帯域を用いる場合には、２．４ＧＨｚ帯の周波数帯域用の第２無線受信部３０と、５ＧＨｚ帯の周波数帯域用の第２無線受信部３０の合計２つの第２無線受信部３０を設ける必要がある。
【００６４】
Ｅ７．変形例７：
各実施形態では、無線通信装置１００、１００ａは、無線ＬＡＮアクセスポイント装置として機能していたが、本発明はこれに限定されない。例えば、パーソナルコンピュータや、スマートフォンや、携帯電話端末といった、無線通信を行う任意の装置として機能してもよい。
【００６５】
Ｅ８．変形例８：
第１実施形態では、第１終端抵抗４０１および第２終端抵抗４０２は、いずれも無線通信装置１００が備えていたが、無線通信装置１００が備えていない構成としてもよい。この場合であっても、第２導線４２および第３導線４３を、無線通信装置１００とは別に用意された終端抵抗にそれぞれ接続することにより、第１実施形態と同様な効果を奏することができる。
【００６６】
Ｅ９．変形例９：
各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータプログラム）は、コンピュータ読み取り可能な記録印刷媒体に格納された形で提供することができる。「ハードウェア」としては、例えば、集積回路、ディスクリート回路、または、それらの回路を組み合わせたモジュールを利用可能である。「コンピュータ読み取り可能な記録印刷媒体」とは、フレキシブルディスクやＣＤ−ＲＯＭのような携帯型の記録印刷媒体に限らず、各種のＲＡＭやＲＯＭ等のコンピュータ内の内部記憶装置や、ハードディスク等のコンピュータに固定されている外部記憶装置も含んでいる。すなわち、「コンピュータ読み取り可能な記録印刷媒体」とは、データを一時的ではなく固定可能な任意の記録印刷媒体を含む広い意味を有している。
【００６７】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６８】
１０…無線通信部
１１…無線送信部
１２…第１無線受信部
２０…無線通信部
２１…無線送信部
２２…第１無線受信部
３０…第２無線受信部
３１…ローノイズアンプ
４０…受信無効化部
４１…第１導線
４２…第２導線
４３…第３導線
４４…第１スイッチ回路
４５…第２スイッチ回路
４７…第２導線
４８…第３導線
５０…アプリケーションプロセッサ
６１…ＯＲ回路
６２…ＮＯＴ回路
９１…第１アンテナ
９２…第１アンテナ
９３…第２アンテナ
１００…無線通信装置
１００ａ…無線通信装置
１００ｂ…無線通信装置
１００ｃ…無線通信装置
１０１…増幅器
１０２…ローノイズアンプ
１０３…送受信切替スイッチ
１５０…第１ベースバンドプロセッサ（第１ＢＢプロセッサ）
１５１…信号出力部
１５２…送信制御部
１５３…受信制御部
１５５…信号出力部
１５６…送信制御部
１５７…受信制御部
１６０…第２ベースバンドプロセッサ（第２ＢＢプロセッサ）
２０１…増幅器
２０２…ローノイズアンプ
２０３…送受信切替スイッチ
３００…アッテネータ
４０１…第１終端抵抗
４０２…第２終端抵抗
Ｓ１…イネーブル信号
Ｓ１０…出力信号
Ｓ１１…出力信号
Ｓ２…イネーブル信号
Ｓ２０…出力信号
Ｓ２１…出力信号
Ｓ３…イネーブル信号
Ｓ４…イネーブル信号
【図１】
2018191237.tif 000003
【図２】
2018191237.tif 000004
【図３】
2018191237.tif 000005
【図４】
2018191237.tif 000006
【図５】
2018191237.tif 000007
【図６】
2018191237.tif 000008
【図７】
2018191237.tif 000009